(57)【特許請求の範囲】
【請求項１】
少なくとも一方に突出した駆動軸を有したモータと、
前記モータの前記駆動軸に取り付けられ、回転駆動されるファンと、
前記モータの前記駆動軸に挿入される緩衝部材と、
前記緩衝部材に軸方向の力を加えて、前記ファンを前記モータの前記駆動軸に固定する締結部材とを備え、
前記緩衝部材は、
前記モータの前記駆動軸より大きな径で開口した貫通孔部を有した２枚の座金と、
前記モータの前記駆動軸が挿入される軸孔部を有し、２枚の前記座金に挟まれる弾性体とを備え、
前記弾性体は、前記座金の前記貫通孔部に嵌る形状を有して、前記座金で挟まれる表裏両面から前記座金の厚さ以下の高さで突出すると共に、内側が前記軸孔部とつながって開口して、前記モータの前記駆動軸が挿入される位置ずれ防止凸部を備えた
ことを特徴とする送風装置。
【請求項２】
前記緩衝部材は、前記弾性体の前記軸孔部の内径より、前記位置ずれ防止凸部の内径を大きくした
ことを特徴とする請求項１記載の送風装置。
【請求項３】
前記緩衝部材は、前記弾性体の前記軸孔部の内径を、前記モータの前記駆動軸の外径より小さく、前記軸孔部に挿入された前記駆動軸に前記弾性体が圧接される径とした
ことを特徴とする請求項２記載の送風装置。
【請求項４】
前記緩衝部材は、前記座金の外周が嵌る溝部が形成された位置ずれ防止カバーを、前記締結部材及び前記ファンと非接触な前記弾性体の外周に備えた
ことを特徴とする請求項１、２または３記載の送風装置。
【発明の詳細な説明】
【技術分野】
【０００１】
本発明は、モータにより駆動されるファンを備えた送風装置に関し、特に、ファンのモータに対する取り付け構造に関するものである。
【背景技術】
【０００２】
モータを駆動源とし、ファンを回転させて風量を得る送風装置として、例えば浴室に設置される浴室換気空調装置がある。
【０００３】
ファンを駆動するモータとして、ＡＣモータを備えた浴室換気空調装置では、各運転モードに応じた風量を得るために位相制御を行っており、位相制御されるモータの微振動がファンに伝達してしまい、異音が発生することがある。
【０００４】
そこで、モータの駆動軸に挿入されるファンの両側に、ゴム等の弾性材で構成された防振ワッシャを入れ、ファンを軸方向の両側から防振ワッシャを介して金属ワッシャで挟み付けて固定するファンの取り付け構造が提案されている（例えば、特許文献１参照）。
【０００５】
このようなファンの取り付け構造を備えた送風装置では、モータからの振動を防振ワッシャで吸収してファンに伝わらないようにすることで、異音の発生を抑えられるようにしている。
【０００６】
【特許文献１】特開平４−２６２０９８号公報
【発明の開示】
【発明が解決しようとする課題】
【０００７】
しかし、従来の送風装置におけるファンの取り付け構造では、ゴムの経年変化による防振ワッシャの変形や、組み立て不良によって金属ワッシャがモータの駆動軸に接触することで、モータの振動が金属ワッシャに伝わり、異音が発生することがあった。
【０００８】
本発明は、このような課題を解決するためになされたもので、ファンが駆動される際の異音の発生を防ぐことができる送風装置を提供することを目的とする。
【課題を解決するための手段】
【０００９】
上述した課題を解決するため、本発明の送風装置は、少なくとも一方に突出した駆動軸を有したモータと、モータの駆動軸に取り付けられ、回転駆動されるファンと、モータの駆動軸に挿入される緩衝部材と、緩衝部材に軸方向の力を加えて、ファンをモータの駆動軸に固定する締結部材とを備え、緩衝部材は、モータの駆動軸より大きな径で開口した貫通孔部を有した２枚の座金と、モータの駆動軸が挿入される軸孔部を有し、２枚の座金に挟まれる弾性体とを備え、弾性体は、座金の貫通孔部に嵌る形状を有して、座金で挟まれる表裏両面から座金の厚さ以下の高さで突出すると共に、内側が軸孔部とつながって開口して、モータの駆動軸が挿入される位置ずれ防止凸部を備えたことを特徴とする。
【００１０】
本発明の送風装置では、緩衝部材の弾性体が軸方向に押しつぶされていることで、モータの駆動軸が挿入されている軸孔部の径が小さくなり、モータの駆動軸と緩衝部材の弾性体が圧接されている。
【００１１】
また、緩衝部材の弾性体を挟む座金は、モータの駆動軸が通る貫通孔部に弾性体の位置ずれ防止凸部が嵌ることで、座金の貫通孔部の内周とモータの駆動軸との間に弾性体が入り、座金とモータの駆動軸は直接接触しない。
【００１２】
そして、位置ずれ防止凸部の高さが座金の厚さ以下であることで、座金の貫通孔部に挿入されている位置ずれ防止凸部は座金から突出せず、締結部材を締める際に、弾性体は座金を介して押圧されて、軸方向に押しつぶされる。
【発明の効果】
【００１３】
本発明の送風装置によれば、ファンを挟んでモータの駆動軸に挿入されている緩衝部材において、モータの振動を吸収する弾性体から突出させた位置ずれ防止凸部が、弾性体を挟む座金の貫通孔部に嵌められ、位置ずれ防止凸部の内側にモータの駆動軸が挿入されることで、経年変化や組み立て不良によって座金が動き、モータの駆動軸に接触することを防ぐことができる。
【００１４】
これにより、モータの振動が緩衝部材の弾性体で吸収されてファンには伝達されず、異音の発生を防ぐことができる。
【発明を実施するための最良の形態】
【００１５】
以下、図面を参照して本発明の送風装置の実施の形態について説明する。
【００１６】
＜本実施の形態の送風装置の構成例＞
図１は、本実施の形態の送風装置の一例を示す要部断面図である。本実施の形態の送風装置１Ａは、例えば、浴室に設置されて常時運転される２４時間換気機能を備えた浴室換気空調装置である。
【００１７】
送風装置１Ａは、図示しない筐体等に取り付けられるモータ２と、モータ２の駆動軸２０に取り付けられ、回転駆動されるファン３を備える。
【００１８】
モータ２は、本例では駆動軸２０が一方に突出し、例えば交流電源で駆動される片軸のＡＣモータである。モータ２の駆動軸２０は、先端側に断面形状をＤ型としたＤカット部が形成されていると共に、ネジ部２１が形成されている。また、ファン３の軸方向の位置を規制するリング２２が取り付けられている。
【００１９】
ファン３は、例えば多翼の羽根車であり、モータ２の駆動軸２０が挿入されるモータ軸孔３０が形成される。
【００２０】
送風装置１Ａは、モータ２の駆動軸２０に挿入されて、ファン３を軸方向の両側から挟む２枚の緩衝部材４と、駆動軸２０のネジ部２１に締結されて、ファン３をモータ２の駆動軸２０に固定するナット５を備える。
【００２１】
送風装置１Ａは、モータ２の駆動軸２０に緩衝部材４、ファン３、緩衝部材４の順で各部品が挿入され、ファン３が軸方向の両側から緩衝部材４で挟まれる。そして、駆動軸２０のネジ部２１に締結部材であるナット５が締結されることで、ファン３を挟んだ２枚の緩衝部材４に軸方向の力が加えられ、ファン３がモータ２の駆動軸２０に固定される。
【００２２】
図２及び図３は、本実施の形態の送風装置１Ａを構成する緩衝部材４の一例を示す構成図で、図２は、本実施の形態の緩衝部材の一例を示す斜視図、図３（ａ）は、緩衝部材を構成する本実施の形態のゴムワッシャの断面図、図３（ｂ）は、ゴムワッシャの平面図である。
【００２３】
緩衝部材４は、２枚の金属ワッシャ４０と、金属ワッシャ４０に挟まれるゴムワッシャ４１を備える。金属ワッシャ４０は座金の一例で、図１に示すナット５の締結で加わる力に対して、必要十分な剛性を有した円板状の金属材料で構成され、モータ２の駆動軸２０の直径より大きな直径で開口した円形の貫通孔部４０ａが形成される。
【００２４】
ゴムワッシャ４１は弾性体の一例で、ナット５の締結で加わる力によって変形する例えばゴム等の弾性材料で構成され、モータ２の駆動軸２０が挿入される軸孔部４１ａが形成される。
【００２５】
また、ゴムワッシャ４１は、金属ワッシャ４０の貫通孔部４０ａに嵌る形状を有した位置ずれ防止凸部４２を、軸孔部４１ａの同軸上に備える。位置ずれ防止凸部４２は、金属ワッシャ４０の貫通孔部４０ａの内径と略同じまたは若干大きい外径の円筒形状で、金属ワッシャ４０で挟まれるゴムワッシャ４１の表裏両面から、金属ワッシャ４０の厚さ以下の高さで突出形成される。
【００２６】
また、位置ずれ防止凸部４２の内側は、軸孔部４１ａとつながって開口し、モータ２の駆動軸２０が挿入される。更に、位置ずれ防止凸部４２の内側の直径Ｈ１は、軸孔部４１ａの内径Ｈ２より大きく、ゴムワッシャ４１は、軸孔部４１ａの内周面が内側に突出している。
【００２７】
これにより、緩衝部材４では、ゴムワッシャ４１を挟む金属ワッシャ４０は、モータ２の駆動軸２０が通る貫通孔部４０ａにゴムワッシャ４１の位置ずれ防止凸部４２が嵌る。このように、金属ワッシャ４０の貫通孔部４０ａの内周とモータ２の駆動軸２０との間に弾性材料からなる位置ずれ防止凸部４２が入ることで、金属ワッシャ４０の位置ずれが防止されて、金属ワッシャ４０とモータ２の駆動軸２０は直接接触しない。
【００２８】
また、位置ずれ防止凸部４２の高さが金属ワッシャ４０の厚さ以下であることで、金属ワッシャ４０の貫通孔部４０ａに挿入されている位置ずれ防止凸部４２は金属ワッシャ４０から突出しない。
【００２９】
これにより、２組の緩衝部材４をファン３の上下に入れて、ナット５をモータ２の駆動軸２０に締結する際に、ゴムワッシャ４１は、金属ワッシャ４０の面で押圧される。このように、ナット５の締結で加わる力によって、金属ワッシャ４０を介してゴムワッシャ４１を押圧することで、ゴムワッシャ４１を軸方向に沿った厚さ方向に所定量押し潰すことが可能となる。
【００３０】
ここで、ゴムワッシャ４１の軸孔部４１ａの内径は、ナット５の締結で加わる力によってゴムワッシャ４１が変形する際の、軸孔部４１ａの内径の減少分に応じて、モータ２の駆動軸２０の直径より小さく構成される。
【００３１】
すなわち、送風装置１Ａでは、２組の緩衝部材４がファン３の上下に入れられ、ナット５が駆動軸２０に締結されることで、緩衝部材４は、ゴムワッシャ４１が厚さ方向に所定量潰れる。そして、ゴムワッシャ４１が厚さ方向に潰れることで、軸孔部４１ａの内径が小さくなる。
【００３２】
これにより、緩衝部材４は、ゴムワッシャ４１の軸孔部４１ａの内周面が、モータ２の駆動軸２０に圧接され、モータ２で発生した振動を、緩衝部材４のゴムワッシャ４１に確実に伝えて、振動を吸収できるようにしている。
【００３３】
そこで、ゴムワッシャ４１の軸孔部４１ａの初期の内径を、ナット５の締結でゴムワッシャ４１が厚さ方向に潰れた際の内径と略同じとして、軸孔部４１ａの内周面がモータ２の駆動軸２０に確実に圧接されるようにする。
【００３４】
すなわち、ファン３の上下に入れられる２組の緩衝部材４は、ナット５をモータ２の駆動軸２０に締結した際に、今回用いたゴム材の緩衝効果が期待できるように、ゴムワッシャ４１がそれぞれ厚さ方向に約１ｍｍ程度（０．７ｍｍ〜１．５ｍｍ程度）潰れるような寸法設定としてある。そして、ナット５の締結でゴムワッシャ４１が厚さ方向に所定量潰れたときの軸孔部４１ａの内径の計測値と略同径を、軸孔部４１ａの初期内径としてある。
【００３５】
寸法例で説明すると、モータ２の駆動軸２０の直径がφＡ（ｍｍ）であるのに対して、ゴムワッシャ４１の軸孔部４１ａの内径を約φ０．８Ａｍｍ〜φ０．９Ａ（ｍｍ）とした。
【００３６】
ここで、緩衝部材４のゴムワッシャ４１は、位置ずれ防止凸部４２を備えたことで、軸孔部４１ａが形成されている中心付近が肉厚となっている。このため、位置ずれ防止凸部４２の内径を軸孔部４１ａの内径と同じとすると、ナット５の締結でゴムワッシャ４１を厚さ方向に潰した際の、軸孔部４１ａの内径の減少分が足らなくなる。
【００３７】
そこで、位置ずれ防止凸部４２の内径Ｈ１を、軸孔部４１ａの内径Ｈ２より大きくすることで、ゴムワッシャ４１は、ナット５の締結で加わる力によって軸孔部４１ａの付近が変形しやすくなるようにして、ゴムの経年変化等によらず、ゴムワッシャ４１が確実にモータ２の駆動軸２０に圧接されるようにしている。
【００３８】
緩衝部材４は、２枚の金属ワッシャ４０と１枚のゴムワッシャ４１で構成される部品であるので、金属ワッシャ４０の位置ずれ防止と、緩衝部材４をモータ２の駆動軸２０に入れる際の組み立てを容易にするため、金属ワッシャ４０の固定構造をゴムワッシャ４１に備える。
【００３９】
すなわち、緩衝部材４は、金属ワッシャ４０の外周が嵌る溝部４３ａが形成された位置ずれ防止カバー４３を、ゴムワッシャ４１の表裏両面の外周部に備える。位置ずれ防止カバー４３は、ゴムワッシャ４１の表裏面から厚さ方向に突出し、内周面に内側に向けて開口した溝部４３ａが形成される。
【００４０】
これにより、金属ワッシャ４０でゴムワッシャ４１を挟むと、金属ワッシャ４０の貫通孔部４０ａにゴムワッシャ４１の位置ずれ防止凸部４２が嵌ると共に、金属ワッシャ４０の外周が、ゴムワッシャ４１の外周で位置ずれ防止カバー４３の溝部４３ａに嵌る。
【００４１】
従って、金属ワッシャ４０のゴムワッシャ４１に対する位置がずれないようにして、２枚の金属ワッシャ４０にゴムワッシャ４１が挟まれて一体となった緩衝部材４が構成される。
【００４２】
このように、緩衝部材４は、３つの部品が一体に構成されるので、モータ２の駆動軸２０に入れる作業が容易に行なえると共に、部品の付け忘れを防ぐことができ、組み立て不良の発生を低減することができる。
【００４３】
また、接着剤や粘着テープを使用することなく、金属ワッシャをゴムワッシャに固定できるので、部品点数を削減することができると共に、緩衝部材４の組み立て作業を容易かつ確実に行うことができる。
【００４４】
なお、従来は、ゴムワッシャに両面テープで金属ワッシャを貼りつけるため、両面テープの厚さを考慮してゴムワッシャの厚さを決めていたが、本例では、両面テープが不要であるので、両面テープの厚さ分、ゴムワッシャの板厚を増やして、緩衝効果を高めている。
【００４５】
ここで、位置ずれ防止カバー４３は、ゴムワッシャ４１の厚さ方向に突出しているので、ナット５及びリング２２と、ファン３と接触しないように径が設定されている。
【００４６】
＜本発明を適用した浴室換気空調装置の構成例＞
図４は、本発明を適用した浴室換気空調装置の一例を示す断面図、図５は、浴室換気空調装置の設置例を示す構成図であり、次に、本発明が適用される浴室換気空調装置の全体構成及び動作例について説明する。
【００４７】
浴室換気空調装置１０Ａは送風装置の一例で、本体ケース１１にファンユニット１２とヒータ１３を備える。
【００４８】
ファンユニット１２は、モータ２と、上述した緩衝部材４を介してモータ２の駆動軸２０に取り付けられる多翼のファン３と、風路を形成するファンケース１２ａを備える。
【００４９】
ファンユニット１２は、ファン３が縦向きに配置され、ファンケース１２ａは、ファン３の軸方向に沿った下面が開口して吸込口１２ｂが形成される。また、ファンユニット１２は、ファン３の円周方向の一の側方に排気口１４が形成されると共に、下面に吹出口１５が形成される。更に、ファンユニット１２は、吸込口１２ｂから排気口１４への風路と吹出口１５への風路を切り替える風路切替ダンパ１６を備える。
【００５０】
風路切替ダンパ１６は、図示しないダンパモータの駆動力がカム１６ａを介して伝達され、軸１６ｂを支点に回転して開閉動作を行い、風路切替ダンパ１６の位置によって、吸込口１２ｂから排気口１４への風路と吹出口１５への風路が形成される。
【００５１】
図４（ａ）では、風路切替ダンパ１６を全開にした状態を示す。風路切替ダンパ１６を全開にすると、吹出口１５への風路が遮断され、吸込口１２ｂから排気口１４への換気風路１４ａが形成される。このため、風路切替ダンパ１６が全開となる位置を風路切替ダンパ１６の換気位置と称す。
【００５２】
図４（ｂ）では、風路切替ダンパ１６を全閉にした状態を示す。風路切替ダンパ１６を全閉にすると、排気口１４への風路が遮断され、吸込口１２ｂから吹出口１５への循環風路１５ａが形成される。このため、風路切替ダンパ１６が全閉となる位置を風路切替ダンパ１６の循環位置と称す。
【００５３】
図４（ｃ）では、風路切替ダンパ１６を循環位置と換気位置の中間位置にした状態を示す。風路切替ダンパ１６を循環位置と換気位置の中間位置にすると、吸込口１２ｂから吹出口１５への循環風路１５ａと、吸込口１２ｂから排気口１４への換気風路１４ａの双方が形成される。この中間位置を分流位置と称す。
【００５４】
ヒータ１３は、例えばＰＴＣヒータ等の電気ヒータが、吹出口１５に取り付けられる。また、吹出口１５には、複数の整流板と整流板の向きを変えるモータを備えて、風向が切り替えられる電動ルーバ１７を備える。
【００５５】
ここで、浴室換気空調装置１０Ａは、吸込口１２ｂに図示しない温度センサを備えて、吸い込まれる空気の温度を検知できるようになっている。なお、ファンユニット１２に正イオンと負イオンの双方を発生するイオン発生装置を備えても良い。
【００５６】
浴室換気空調装置１０Ａは、下面にフロントパネル１８が取り付けられる。フロントパネル１８は、ファンユニット１２の吸込口１２ｂと対向して吸込グリル１８ａを備えると共に、吹出口１５を露出させる吹出グリル１８ｂを備える。なお、フロントパネル１８は、吸込グリル１８ａの内側に図示しないフィルタが交換可能に取り付けられる。
【００５７】
また、浴室換気空調装置１０Ａは、排気口１４に排気ダクトジョイント１９を備える。
【００５８】
浴室換気空調装置１０Ａは、図５に示すように、浴室１０１の天井に設置され、図示しない建物の外壁に取り付けられた排気グリル１９ａと、図４に示す排気ダクトジョイント１９が、排気ダクト１９ｂで接続される。
【００５９】
浴室１０１は、隣接する洗面脱衣所１０２との間が開閉可能な扉１０３で仕切られると共に、扉１０３に備えられたガラリ１０３ａによって、洗面脱衣所１０２を介して他室の空気を浴室１０１へ吸い込めるようになっている。
【００６０】
浴室換気空調装置１０Ａは、洗面脱衣所１０２に設置される操作部１０４で操作され、運転モードに応じてモータ２が駆動されてファン３が回転する。ファン３が回転駆動されると、フロントパネル１８の吸込グリル１８ａを介してファンユニット１２の吸込口１２ｂから浴室１０１の空気ＢＡが吸い込まれる。
【００６１】
風路切替ダンパ１６の位置が図４（ａ）に示す換気位置であると、ファンユニット１２において吸込口１２ｂから排気口１４への換気風路１４ａが形成されるので、フロントパネル１８の吸込グリル１８ａを通り吸込口１２ｂから吸い込まれた空気は、換気風路１４ａ及び排気口１４を通り、更に、排気ダクト１９ｂを通って排気グリル１９ａから屋外へ排気される。
【００６２】
これにより、換気運転モードでは、風路切替ダンパ１６を換気位置として、モータ２が回転駆動され、浴室１０１内の湯気や湿気が排気される。また、浴室１０１内の空気が屋外に排気されると、ガラリ１０３ａを通して洗面脱衣所１０２の空気ＲＡが浴室１０１内に吸い込まれることで、他室の空気が洗面脱衣所１０２からガラリ１０３ａを通って浴室１０１に吸い込まれ、屋外に排気される。
【００６３】
従って、浴室換気空調装置１０Ａで換気運転モードを実行すると、図示しない建物の換気が行われ、所定の風量が得られるようにモータ２を常時駆動することで、建物の２４時間換気が行われる。
【００６４】
このように、浴室換気空調装置１０Ａでは、モータ２が常時駆動されており、緩衝部材であるゴムワッシャの変形による磨耗量が多くなり、モータ２の振動がファン３に伝わって異音が発生すると、夜間等で環境が静かなときは、騒音に感じられることがある。
【００６５】
このため、上述したように、本発明の緩衝部材４を介してファン３をモータ２に固定することで、図１等に示すゴムワッシャ４１でモータ２の振動を吸収し、ファン３に伝えないようにすることで、異音の発生を防ぐことができる。
【００６６】
また、ゴムワッシャ４１を挟む金属ワッシャ４０が、温度や経年変化によるゴムワッシャ４１の変形や、組み立て不良等によってモータ２の駆動軸２０に接触することがなく、モータ２の振動が金属ワッシャ４０に伝わって、異音が発生することを防ぐことができる。
【００６７】
風路切替ダンパ１６の位置が図４（ｂ）に示す循環位置であると、ファンユニット１２において吸込口１２ｂから吹出口１５への循環風路１５ａが形成されるので、吸込口１２ｂから吸い込まれた空気ＢＡは、循環風路１５ａを通り吹出口１５からフロントパネル１８の吹出グリル１８ｂを介して浴室１０１内に吹き出される。
【００６８】
ヒータ１３は吹出口１５に配置されるので、ヒータ１３に通電されることで、循環風路１５ａを通る空気が温められて、温風が吹出グリル１８ｂから吹き出す。
【００６９】
これにより、暖房運転モードでは、風路切替ダンパ１６を循環位置として、モータ２が駆動されると共に、ヒータ１３に通電され、浴室１０１内の空気を循環させながら、浴室１０１内に温風が吹き出される。
【００７０】
なお、イオンモードとして、ヒータ１３には通電せず、モータ２の駆動と連動させて略同数の正イオンと負イオンを発生させ、略同数の正イオンと負イオンを含む空気を送風することで、循環する空気に含まれる浮遊細菌と浴室１０１の空気中の浮遊細菌の双方を除去して、カビの発生等を抑えることができる。
【００７１】
風路切替ダンパ１６の位置が図４（ｃ）に示す分流位置であると、ファンユニット１２において吸込口１２ｂから吹出口１５への循環風路１５ａと、吸込口１２ｂから排気口１４への換気風路１４ａの双方が形成されるので、吸込口１２ｂから吸い込まれた空気は、一部は循環風路１５ａを通り吹出口１５からフロントパネル１８の吹出グリル１８ｂを介して浴室１０１内に吹き出される。
【００７２】
また、吸込口１２ｂから吸い込まれた空気の残部は、換気風路１４ａ及び排気口１４を通り、更に、排気ダクト１９ｂを通って排気グリル１９ａから屋外へ排気される。
【００７３】
これにより、乾燥運転モード等では、風路切替ダンパ１６を分流位置として、モータ２が駆動されると、ヒータ１３が非駆動の場合は、浴室１０１内の空気を循環させながら、浴室１０１内の湯気や湿気が排気される。
【００７４】
また、ヒータ１３に通電した場合は、浴室１０１内の空気を循環させて浴室１０１内に温風を吹き出しながら、浴室１０１内の湯気や湿気が排気される。
【００７５】
なお、浴室換気空調装置としては、循環ファンと換気ファンを備えて循環風路と換気風路が独立した構成等でも良い。また、送風装置としては、熱交換素子を備えた２４時間換気装置や、外気を室内に給気する給気用の送風装置等、他の送風装置でも良い。
【産業上の利用可能性】
【００７６】
本発明は、常時運転される２４時間換気機能を備えた換気装置に適用される。
【図面の簡単な説明】
【００７７】
【図１】本実施の形態の送風装置の一例を示す要部断面図である。
【図２】本実施の形態の緩衝部材の一例を示す斜視図である。
【図３】本実施の形態のゴムワッシャの一例を示す構成図である。
【図４】本発明を適用した浴室換気空調装置の一例を示す断面図である。
【図５】浴室換気空調装置の設置例を示す構成図である。
【符号の説明】
【００７８】
１Ａ・・・送風装置、２・・・モータ、２０・・・駆動軸、２１・・・ネジ部、２２・・・リング、３・・・ファン、３０・・・モータ軸孔、４・・・緩衝部材、４０・・・金属ワッシャ、４０ａ・・・貫通孔部、４１・・・ゴムワッシャ、４１ａ・・・軸孔部、４２・・・位置ずれ防止凸部、４３・・・位置ずれ防止カバー、４３ａ・・・溝部、５・・・ナット
【図１】
0005040533.tif 000002
【図２】
0005040533.tif 000003
【図３】
0005040533.tif 000004
【図４】
0005040533.tif 000005
【図５】
0005040533.tif 000006